【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
赤色、緑色、白色をそれぞれ具現する３個のサブピクセルを含む第１ピクセルと、
前記第１ピクセルに隣接し、青色、緑色、白色をそれぞれ具現する３個のサブピクセルを含む第２ピクセルと、を含み、
前記第１ピクセルに対応する第１入力カラーデータ及び前記第２ピクセルに対応する第２入力カラーデータを受信し、
前記第１ピクセルに含まれた赤色、緑色、白色サブピクセルそれぞれに対応する第１出力カラーデータ、及び前記第２ピクセルに含まれた青色、緑色、白色サブピクセルそれぞれに対応する第２出力カラーデータを生成するカラーデータ変換器をさらに備えることを特徴とする表示装置。
【請求項２】
前記カラーデータ変換器では、前記第２入力カラーデータのうち赤色カラーデータ部分が、前記第１ピクセルの赤色サブピクセルで具現され、
前記第１入力カラーデータのうち青色カラーデータ部分が、前記第２ピクセルの青色サブピクセルで具現されるように、前記第１出力カラーデータ及び第２出力カラーデータを生成することを特徴とする請求項１に記載の表示装置。
【請求項３】
前記カラーデータ変換器では、前記第１入力カラーデータ及び前記第２入力カラーデータのうち赤色カラーデータ部分が、前記第１ピクセルの赤色サブピクセル及び白色サブピクセル、前記第２ピクセルの白色サブピクセルのうち少なくとも一つで具現され、前記第１入力カラーデータ及び前記第２入力カラーデータのうち青色カラーデータ部分が、前記第２ピクセルの青色サブピクセル及び白色サブピクセル、前記第１ピクセルの白色サブピクセルのうち少なくとも一つで具現されるように、前記第１出力カラーデータ及び第２出力カラーデータを生成することを特徴とする請求項１に記載の表示装置。
【請求項４】
前記カラーデータ変換器は、緑色、赤色、青色に対応する前記第１入力カラーデータから最小値を抽出し、抽出された値と第１ゲイン比率ｇａ１とを乗算して第１白色出力カラーデータを定め、
前記カラーデータ変換器は、前記第１入力カラーデータのうち青色カラーデータから前記第１白色出力カラーデータを減算した値に基づいて、第２出力カラーデータのうち青色出力カラーデータを定め、
前記カラーデータ変換器は、緑色、赤色、青色に対応する前記第２入力カラーデータから最小値を抽出し、抽出された値と第２ゲイン比率ｇａ２とを乗算して第２白色出力カラーデータを定め、
前記カラーデータ変換器は、前記第２入力カラーデータのうち赤色カラーデータから前記第２白色出力カラーデータを減算した値に基づいて、第１出力カラーデータのうち赤色出力カラーデータを定めることを特徴とする請求項１に記載の表示装置。
【請求項５】
赤色、緑色、白色をそれぞれ具現する３個のサブピクセルを含む第１ピクセルと、前記第１ピクセルに隣接し、青色、緑色、白色をそれぞれ具現する３個のサブピクセルを含む第２ピクセルと、を含むディスプレイパネルと、
複数の前記第１ピクセルに対応する複数の第１入力カラーデータ、及び複数の前記第２ピクセルに対応する複数の第２入力カラーデータを受信し、前記複数の第１ピクセルに含まれた赤色、緑色、白色サブピクセルそれぞれに対応する複数の第１出力カラーデータ、及び前記複数の第２ピクセルに含まれた青色、緑色、白色サブピクセルそれぞれに対応する複数の第２出力カラーデータを生成するカラーデータ変換器をさらに備えることを特徴とする表示装置。
【請求項６】
前記カラーデータ変換器は、前記複数の第２入力カラーデータのうち赤色カラーデータ部分は、前記複数の第１ピクセルの赤色サブピクセルで具現され、
前記複数の第１入力カラーデータのうち青色カラーデータ部分は、前記複数の第２ピクセルの青色サブピクセルで具現されるように、前記第１出力カラーデータ及び第２出力カラーデータを生成することを特徴とする請求項５に記載の表示装置。
【請求項７】
前記カラーデータ変換器は、前記複数の第１入力カラーデータ及び前記複数の第２入力カラーデータのうち赤色カラーデータは、前記複数の第１ピクセルの赤色サブピクセル及び白色サブピクセル、前記複数の第２ピクセルの白色サブピクセルのうち少なくとも一つで具現され、
前記複数の第１入力カラーデータ及び前記複数の第２入力カラーデータのうち青色カラーデータは、前記複数の第２ピクセルの青色サブピクセル及び白色サブピクセル、前記複数の第１ピクセルの白色サブピクセルのうち少なくとも一つで具現されるように、前記複数の第１出力カラーデータ及び複数の第２出力カラーデータを生成することを特徴とする請求項５に記載の表示装置。
【請求項８】
一つ以上の単位ピクセルを含むディスプレイパネルと、
前記一つ以上の単位ピクセルそれぞれに３色データ信号を供給するデータドライバと、
前記一つ以上の単位ピクセルにゲートオン電圧を供給するゲートドライバと、
前記データドライバ及び前記ゲートドライバの駆動を制御するタイミングコントローラと、を備え、
前記ディスプレイパネルは、
赤色、緑色、白色をそれぞれ具現する３個のサブピクセルを含む第１ピクセルと、
前記第１ピクセルに隣接し、青色、緑色、白色をそれぞれ具現する３個のサブピクセルを含む第２ピクセルと、を含み、
前記タイミングコントローラは、前記第１ピクセルに対応する赤色、緑色、青色の第１入力カラーデータ、及び前記第２ピクセルに対応する赤色、緑色、青色の第２入力カラーデータを受信し、
前記タイミングコントローラでは、前記第１入力カラーデータ及び前記第２入力カラーデータのうち赤色カラーデータ部分が、前記第１ピクセルの赤色サブピクセル及び白色サブピクセル、前記第２ピクセルの白色サブピクセルのうち少なくとも一つで具現され、前記第１入力カラーデータ及び前記第２入力カラーデータのうち青色カラーデータ部分が、前記第２ピクセルの青色サブピクセル及び白色サブピクセル、前記第１ピクセルの白色サブピクセルのうち少なくとも一つで具現されるように、第１出力カラーデータ及び第２出力カラーデータを生成することを特徴とする表示装置。
【請求項９】
前記タイミングコントローラは、前記データドライバに、赤色、緑色及び白色サブピクセルそれぞれに対応する第１出力カラーデータ、または青色、緑色及び白色サブピクセルそれぞれに対応する第２出力カラーデータを供給し、
前記データドライバが供給する前記３色データ信号は、赤色、緑色及び白色出力カラーデータに対応する３色データ信号、または青色、緑色、白色出力カラーデータに対応する３色データ信号であることを特徴とする請求項８に記載の表示装置。
【請求項１０】
表示装置の駆動方法において、
カラーデータ変換器が、第１ピクセルに対応する第１入力カラーデータ及び第２ピクセルに対応する第２入力カラーデータを受信する段階と、
前記カラーデータ変換器が、前記第１ピクセルに含まれた赤色、緑色、白色サブピクセルそれぞれに対応する第１出力カラーデータ、及び前記第２ピクセルに含まれた青色、緑色、白色サブピクセルそれぞれに対応する第２出力カラーデータを生成する段階と、を含み、
前記第１入力カラーデータ及び前記第２入力カラーデータは、それぞれ赤色、緑色、青色入力カラーデータであり、
前記カラーデータ変換器では、前記第２入力カラーデータのうち赤色カラーデータ部分が、前記第１ピクセルの赤色サブピクセルで具現され、
前記第１入力カラーデータのうち青色カラーデータ部分が、前記第２ピクセルの青色サブピクセルで具現されるように、前記第１出力カラーデータ及び第２出力カラーデータを生成する段階をさらに含み、
前記カラーデータ変換器では、前記第１入力カラーデータ及び前記第２入力カラーデータのうち赤色カラーデータ部分が、前記第１ピクセルの赤色サブピクセル及び白色サブピクセル、前記第２ピクセルの白色サブピクセルのうち少なくとも一つで具現され、前記第１入力カラーデータ及び前記第２入力カラーデータのうち青色カラーデータ部分が、前記第２ピクセルの青色サブピクセル及び白色サブピクセル、前記第１ピクセルの白色サブピクセルのうち少なくとも一つで具現されるように、前記第１出力カラーデータ及び第２出力カラーデータを生成する段階をさらに含むことを特徴とする表示装置の駆動方法。